(57)【要約】【課題】  各単位回路の構成を複雑化することなく駆動トランジスタのゲートの初期化を実現する。【解決手段】  各単位回路Ｕは、ゲート電位Ｖgに応じて導通状態が変化する駆動トランジスタＴdrと、この導通状態に応じた階調となる電気光学素子１１とを含む。初期化期間Ｐ1においては、電位供給線１７に第１電位Ｖssが供給されたうえで、この電位供給線１７と駆動トランジスタＴdrのゲートとが電気的に接続される。これによりゲート電位Ｖgは第１電位Ｖssに初期化される。初期化期間Ｐ1の経過後の書込期間Ｐ2においてはデータ線１４と駆動トランジスタＴdrのソースおよびゲートとが電気的に接続される。さらに、書込期間Ｐ2の経過後の駆動期間Ｐ3においては、第１電位Ｖssとは異なる第２電位Ｖddが電位供給線１７に供給されたうえで、この電位供給線１７と駆動トランジスタＴdrのソースとが電気的に接続される。【選択図】      図２
2007025192.tif 000002
【特許請求の範囲】
【請求項１】
制御端子と第１端子と第２端子とを備え、前記制御端子の電位に応じて前記第１端子と前記第２端子との導通状態が変化する駆動トランジスタと、前記駆動トランジスタの導通状態に応じて駆動される被駆動素子とを備えた単位回路を具備する電子装置の駆動方法であって、
初期化期間において電位供給線に第１電位を供給し、前記初期化期間内に前記電位供給線と前記駆動トランジスタの前記制御端子とを電気的に接続し、
前記初期化期間の経過後の書込期間において、データ信号が供給されるデータ線と前記駆動トランジスタの前記第１端子とを電気的に接続し、
前記書込期間の経過後の駆動期間において前記第１電位とは異なる第２電位を前記電位供給線に供給し、前記駆動期間内に前記電位供給線と前記駆動トランジスタの前記第２端子とを電気的に接続することによって前記被駆動素子を駆動する
電子装置の駆動方法。
【請求項２】
複数の第１配線と、
前記複数の第１配線に交差する複数の第２配線と、
複数の電位供給線と、
前記複数の第１配線と前記複数の第２配線との交差に対応して配置された複数の単位回路と、
前記複数の第１配線の各々を選択する選択回路と、
各書込期間において前記複数の第２配線の各々にデータ信号を供給するデータ供給回路と、
前記複数の電位供給線の各々を複数の電位に設定する電位制御回路とを具備し、
前記複数の単位回路の各々は、
制御端子と第１端子と第２端子とを備え、前記制御端子の電位に応じて前記第１端子と前記第２端子との導通状態が変化する駆動トランジスタと、
前記駆動トランジスタの導通状態に応じて駆動される被駆動素子と、
前記複数の第１配線のうちの一つの第１配線が選択される書込期間内に前記駆動トランジスタの前記第１端子と前記第２配線とを電気的に接続する第１スイッチング素子と、
前記書込期間の開始前の初期化期間内に前記複数の電位供給線のうちの一つの電位供給線と前記駆動トランジスタの前記制御端子とを電気的に接続し、前記書込期間の経過後の前記駆動期間内に前記一つの電位供給線と前記駆動トランジスタの前記第２端子とを電気的に接続する電位設定手段とを含む
電子装置。
【請求項３】
前記電位制御回路は、前記初期化期間において、前記一つの電位供給線の電位を第１電位に設定し、前記書込期間の経過後の駆動期間において、前記一つの電位供給線の電位を前記第１の電位とは異なる第２の電位に設定する
請求項２に記載の電子装置。
【請求項４】
前記複数の単位回路の各々は、前記駆動トランジスタの前記制御端子に接続された第１電極と、少なくとも前記駆動期間にて定電位に維持される第２電極とを有する容量素子を含む
請求項２に記載の電子装置。
【請求項５】
前記容量素子の前記第２電極は、前記複数の第１配線のうち前記一つの第１配線とは異なる第１配線に接続される
請求項４に記載の電子装置。
【請求項６】
前記容量素子の前記第２電極は、前記複数の第１配線のうち前記一つの第１配線の直前に選択される他の第１配線に接続される
請求項５に記載の電子装置。
【請求項７】
前記電位設定手段は、
前記初期化期間内および前記駆動期間内にて前記一つの電位供給線と前記駆動トランジスタの前記第２端子とを電気的に接続するとともに前記書込期間内において前記一つの電位供給線と前記駆動トランジスタの前記第２端子とを電気的に絶縁する第２スイッチング素子を含む
請求項２に記載の電子装置。
【請求項８】
前記電位設定手段は、
前記初期化期間内および前記書込期間内にて前記駆動トランジスタの前記第１端子と前記制御端子とを電気的に接続するとともに前記駆動期間内において前記駆動トランジスタの前記第１端子と前記制御端子とを電気的に絶縁する第３スイッチング素子を含む
請求項７に記載の電子装置。
【請求項９】
前記複数の単位回路の各々は、前記駆動トランジスタの前記第１端子と前記被駆動素子との電気的な接続を制御する第４スイッチング素子を含む
請求項２に記載の電子装置。
【請求項１０】
前記第１スイッチング素子および前記第４スイッチング素子は、互いに導電型が異なる２つのトランジスタであり、前記２つのトランジスタのゲートが前記一つの第１配線に対して共通に接続される
請求項９に記載の電子装置。
【請求項１１】
前記第１電位は、前記駆動トランジスタをオン状態とする電位である
請求項２に記載の電子装置。
【請求項１２】
前記複数の電位供給線は前記複数の第２配線と交差する
請求項２に記載の電子装置。
【請求項１３】
請求項２から請求項１１の何れかに記載の電子装置を具備する電子機器。
【請求項１４】
複数の走査線と、
前記複数の走査線に交差する複数のデータ線と、
複数の電位供給線と、
前記複数の走査線と前記複数のデータ線との交差に対応して配置された複数の単位回路と、
前記複数の走査線の各々を選択する走査線駆動回路と、
各書込期間において前記複数のデータ線の各々にデータ信号を供給するデータ線駆動回路と、
前記複数の電位供給線の各々を複数の電位に設定する電位制御回路とを具備し、
前記複数の単位回路の各々は、
制御端子と第１端子と第２端子とを備え、前記制御端子の電位に応じて前記第１端子と前記第２端子との導通状態が変化する駆動トランジスタと、
前記駆動トランジスタの導通状態に応じて駆動される電気光学素子と、
前記複数の走査線のうち一つの走査線が選択される書込期間内に前記駆動トランジスタの前記第１端子と前記データ線とを電気的に接続する第１スイッチング素子と、
当該書込期間の開始前の初期化期間内に前記複数の電位供給線のうちの一つの電位供給線と前記駆動トランジスタの前記制御端子とを電気的に接続し、前記書込期間の経過後の前記駆動期間内に前記一つの電位供給線と前記駆動トランジスタの前記第２端子とを電気的に接続する電位設定手段とを含む
電気光学装置。
【発明の詳細な説明】
【技術分野】
【０００１】
本発明は、有機発光ダイオード（以下「ＯＬＥＤ（Organic Light Emitting Diode）」という）素子、液晶素子、電気泳動素子、エレクトロクロミック（electrochromic）素子、電子放出素子、抵抗素子など各種の被駆動素子の挙動を制御する技術に関する。
【背景技術】
【０００２】
ＯＬＥＤ素子を利用した電気光学装置（発光装置）など各種の電子装置は、面状に配列された多数の単位回路を備える。各単位回路は、例えば、ゲートがデータ信号に応じた電位に設定されるトランジスタ（以下「駆動トランジスタ」という）と、このゲートの電位に応じて駆動トランジスタに流れる電流で駆動される被駆動素子（例えばＯＬＥＤ素子）とを含む（例えば非特許文献１参照）。
【非特許文献１】“51.4:Invited Paper: Modeling and Design of Polysilicon Drive Circuits for OLED Displays”, Simon W.-B. Tam, Tatsuya Shimoda, SID 04 Digest, pp.1406-pp.1409
【発明の開示】
【発明が解決しようとする課題】
【０００３】
ところで、駆動トランジスタのゲートの電位を高精度あるいは迅速に制御するためには、データ信号の供給に先立って、駆動トランジスタのゲートを、データ信号とは無関係な所定の電位（以下「初期化電位」という）に初期化することが望ましい。この初期化を実現するためには、例えば、初期化電位を各単位回路に供給するための配線を複数の単位回路にわたって形成するとともに、この配線と駆動トランジスタのゲートとの導通および非導通を切り替えるスイッチング素子を単位回路ごとに設置することが必要となる。しかしながら、この構成においては、配線やスイッチング素子の追加によって各単位回路の構成が複雑化するとともに開口率が低下する等の問題がある。本発明は、このような事情に鑑みてなされたものであり、各単位回路の構成を複雑化することなく駆動トランジスタのゲートの初期化を実現するという課題の解決を目的としている。
【課題を解決するための手段】
【０００４】
この課題を解決するために、本発明に係る電子装置は、複数の第１配線（例えば図１の走査線１２、特に図２の第１制御線１２１）と、複数の第１配線に交差する複数の第２配線（例えば図１のデータ線１４）と、複数の電位供給線と、複数の第１配線と複数の第２配線との交差に対応して配置された複数の単位回路と、複数の第１配線の各々を選択する選択回路（例えば図１の走査線駆動回路２２）と、各書込期間において複数の第２配線の各々にデータ信号を供給するデータ供給回路（例えば図１のデータ線駆動回路２４）と、複数の電位供給線の各々を複数の電位に設定する電位制御回路とを具備し、複数の単位回路の各々は、制御端子（ゲート）と第１端子（ソースおよびドレインの一方）と第２端子（ソースおよびドレインの他方）とを備え、制御端子の電位に応じて第１端子と第２端子との導通状態が変化する駆動トランジスタと、駆動トランジスタの導通状態に応じて駆動される被駆動素子と、当該単位回路に対応した第１配線が選択される書込期間内に駆動トランジスタの第１端子と第２配線とを電気的に接続する第１スイッチング素子（例えば図２のトランジスタＴr1）と、当該書込期間の開始前の初期化期間内に電位供給線と駆動トランジスタの制御端子とを電気的に接続し、当該書込期間の経過後の駆動期間内に電位供給線と駆動トランジスタの第２端子とを電気的に接続する電位設定手段（例えば図２のトランジスタＴr2およびトランジスタＴr3）とを含む。より具体的には、電位制御回路は、初期化期間において一つの電位供給線に第１電位（実施形態における第１電位Ｖss）を供給し、駆動期間において第１電位とは異なる第２電位（実施形態における第２電位Ｖdd）を一つの電位供給線に供給する
この構成によれば、駆動期間において駆動トランジスタの第２端子に第２電位を供給するための電位供給線が、初期化期間において駆動トランジスタの制御端子に第１電位を供給するための配線として兼用されるから、駆動トランジスタの制御端子の電位を初期化するための要素が別途に用意された構成と比較して各単位回路の構成を簡素化することができる。
【０００５】
なお、本発明においては、少なくとも初期化期間において電位供給線に第１電位が供給され、かつ、少なくとも駆動期間において電位供給線に第２電位が供給されれば足り、それ以外の期間において電位供給線が第１電位および第２電位の何れに設定されているかは不問である。また、初期化期間と書込期間と駆動期間とは時間軸上で隙間なく連続している必要はなく、各期間は間隔をもって配列されていてもよい。
【０００６】
本発明の望ましい態様において、複数の単位回路の各々は、駆動トランジスタの制御端子に接続された第１電極と、少なくとも駆動期間にて定電位に維持される第２電極とを有する容量素子を含む。この態様によれば、駆動トランジスタの制御端子の電位が容量素子によって保持されるから、充分な時間長に所期の時間長にわたって被駆動素子の駆動の状態（例えば電気光学素子の光学的な状態）を維持することができる。
より望ましくは、容量素子の第２電極が、複数の第１配線のうち前記一つの第１配線とは異なる第１配線に接続される。この態様によれば、第２電極を少なくとも駆動期間にて定電位に維持するための配線として第１配線が兼用されるから、第１配線とは別個の配線が第２電極に接続される構成と比較して配線数を削減することができる。ただし、第１配線とは別個の配線が第２電極に接続された構成を本発明の範囲から除外する趣旨ではない。
さらに望ましい態様において、容量素子の第２電極は、複数の第１配線のうち前記一つの第１配線の直前に選択される他の第１配線に接続される。この態様によれば、第２電極が定電位に維持される期間（すなわち直前に選択される第１配線が次回に選択されるまでの期間）を充分に確保できるという利点がある。
【０００７】
本発明の具体的な態様において、電位設定手段は、初期化期間内および駆動期間内にて前記一つの電位供給線と駆動トランジスタの第２端子とを電気的に接続するとともに書込期間内において前記一つの電位供給線と駆動トランジスタの第２端子とを電気的に絶縁する第２スイッチング素子（例えば図２のトランジスタＴr2）を含む。この態様によれば、電位供給線と駆動トランジスタの第２端子との電気的な接続（導通または非導通）を簡易な構成によって制御することができる。
さらに詳述すると、各単位回路の電位設定手段は、初期化期間内およびにて駆動トランジスタの第１端子と制御端子とを電気的に接続するとともに駆動期間内において駆動トランジスタの第１端子と制御端子とを電気的に絶縁する第３スイッチング素子（例えば図２のトランジスタＴr3）を含む。この態様によれば、第２スイッチング素子と第３スイッチング素子とがオン状態になると電位供給線と駆動トランジスタの制御端子とが電気的に接続される一方、第２スイッチング素子がオン状態になると電位供給線と駆動トランジスタの第２端子とが電気的に接続される。さらに、書込期間において第１スイッチング素子と第３スイッチング素子とがオン状態になると、駆動トランジスタの制御端子は、データ信号と駆動トランジスタの閾値電圧とに応じた電位に設定される。したがって、駆動トランジスタの閾値電圧のバラツキを補償して被駆動素子を高い精度で所期の状態に駆動することが可能となる。
【０００８】
さらに他の態様において、複数の単位回路の各々は、駆動トランジスタの第１端子と被駆動素子との電気的な接続を制御する第４スイッチング素子（例えば図２のトランジスタＴr4）を含む。この態様によれば、第４スイッチング素子の状態に応じて被駆動素子の駆動および停止を確実に制御することが可能となる。
この態様においては、第１スイッチング素子および第４スイッチング素子が、互いに導電型が異なる２つのトランジスタであり、前記２つのトランジスタのゲートが前記一つの第１配線に対して共通に接続されることが望ましい。この態様によれば、第１スイッチング素子と第４スイッチング素子とが相補的に動作するから、各々が別個の配線に接続されて別系統の信号で制御される構成と比較して配線数を削減することができる。
【０００９】
本発明の望ましい態様において、複数の電位供給線は複数の第２配線と交差する。この態様によれば、ひとつの第１配線に接続された各単位回路（すなわち書込期間が同時に到来する各単位回路）の初期化期間および駆動期間において電位供給線を確実に所期の電位（第１電位または第２電位）に設定することができる。
【００１０】
以上に説明した各態様の電子装置は様々な電子機器に利用される。この電子機器の典型例は、電子装置を表示装置として利用した機器である。この種の電子機器としては、パーソナルコンピュータや携帯電話機などがある。もっとも、本発明に係る電子装置の用途は画像の表示に限定されない。例えば、光線の照射によって感光体ドラムなどの像担持体に潜像を形成するための露光装置（露光ヘッド）としても本発明の電子装置を適用することができる。
【００１１】
本発明に係る被駆動素子は、電気的に駆動される総ての要素を含む。この被駆動素子の典型例は、電気エネルギの付与によって輝度や透過率といった光学的な性状が変化する電気光学素子（例えばＯＬＥＤ素子）である。本発明は、電気光学素子の駆動に専用される電気光学装置としても特定される。この電気光学装置は、複数の走査線と、複数の走査線に交差する複数のデータ線と、複数の電位供給線と、複数の走査線と複数のデータ線との交差に対応して配置された複数の単位回路と、複数の走査線の各々を選択する走査線駆動回路と、各書込期間において複数のデータ線の各々にデータ信号を供給するデータ線駆動回路と、複数の電位供給線を複数の電位に設定する電位制御回路とを具備し、複数の単位回路の各々は、制御端子と第１端子と第２端子とを備え、制御端子の電位に応じて第１端子と第２端子との導通状態が変化する駆動トランジスタと、駆動トランジスタの導通状態に応じて駆動される被駆動素子と、複数の走査線のうち一つの走査線が選択される書込期間内に駆動トランジスタの第１端子とデータ線とを電気的に接続する第１スイッチング素子と、当該書込期間の開始前の初期化期間内に前記複数の電位供給線のうち一つの電位供給線と駆動トランジスタの制御端子とを電気的に接続し、当該書込期間の経過後の駆動期間内に前記一つの電位供給線と駆動トランジスタの第２端子とを電気的に接続する電位設定手段とを含む。より具体的には、電位制御回路は、初期化期間において一つの電位供給線に第１電位を供給し、駆動期間において第１電位とは異なる第２電位を一つの電位供給線に供給する。
この構成によれば、駆動期間において駆動トランジスタの第２端子に第２電位を供給するための電位供給線が、初期化期間において駆動トランジスタの制御端子に第１電位を供給するための配線として兼用されるから、本発明の電子装置と同様に、駆動トランジスタの制御端子の電位を初期化するための要素が別途に用意された構成と比較して各単位回路の構成を簡素化することができる。
【００１２】
また、本発明は、電子装置を駆動するための方法としても実施される。すなわち、本発明に係る駆動方法は、制御端子と第１端子と第２端子とを備え、制御端子の電位に応じて第１端子と第２端子との導通状態が変化する駆動トランジスタと、駆動トランジスタの導通状態に応じて駆動される被駆動素子とを備えた単位回路を具備する電子装置を駆動する方法であって、初期化期間において電位供給線に第１電位を供給し、当該初期化期間内に電位供給線と駆動トランジスタの制御端子とを電気的に接続し、初期化期間の経過後の書込期間において、データ信号が供給されるデータ線と駆動トランジスタの第１端子とを電気的に接続し、書込期間の経過後の駆動期間において第１電位とは異なる第２電位を電位供給線に供給し、駆動期間内に電位供給線と駆動トランジスタの第２端子とを電気的に接続することによって被駆動素子を駆動する。この方法によっても本発明の電子装置と同様の作用および効果が奏される。
【発明を実施するための最良の形態】
【００１３】
図１は、本発明の実施形態に係る電子装置の構成を示すブロック図である。同図に例示された電子装置Ｄは、画像を表示するための手段として種々の電子機器に採用される電気光学装置であり、複数の単位回路Ｕが面状に配列された素子アレイ部１０と、各単位回路Ｕを駆動するための走査線駆動回路２２およびデータ線駆動回路２４と、各単位回路Ｕに供給される電位を制御する電位制御回路２７とを含む。
【００１４】
図１に示すように、素子アレイ部１０には、Ｘ方向に延在するｍ本の走査線１２と、各走査線１２に対をなしてＸ方向に延在するｍ本の電位供給線１７と、Ｘ方向に直交するＹ方向に延在するｎ本のデータ線１４とが形成される（ｍおよびｎはともに自然数）。各単位回路Ｕは、走査線１２および電位供給線１７の対とデータ線１４との交差に対応する位置に配置される。したがって、これらの単位回路Ｕは縦ｍ行×横ｎ列のマトリクス状に配列する。
【００１５】
走査線駆動回路２２は、複数の走査線１２の各々を順番に選択するための回路（換言すると複数の単位回路Ｕを行単位で選択する回路）である。一方、データ線駆動回路２４は、走査線駆動回路２２が選択する走査線１２に接続された１行分（ｎ個）の単位回路Ｕの各々に対応するデータ信号Ｘ[1]ないしＸ[n]を生成して各データ線１４に出力する。第ｉ行（ｉは１≦ｉ≦ｍを満たす整数）の走査線１２が選択される期間（後述する書込期間Ｐ2）にて第ｊ列目（ｊは１≦ｊ≦ｎを満たす整数）のデータ線１４に供給されるデータ信号Ｘ[j]は、第ｉ行に属する第ｊ列目の単位回路Ｕに対して指定された階調に対応する電位Ｖdataとなる。各単位回路Ｕの階調は、外部から供給される階調データによって指定される。
【００１６】
電位制御回路２７は、複数の電位供給線１７の各々に電位Ｌ[1]ないしＬ[m]を供給するための回路である。電位Ｌ[1]ないしＬ[m]の各々は、低位側の電源電位（以下「第１電位」という）Ｖssおよび高位側の電源電位（以下「第２電位」という）Ｖddの一方から他方に順次に切り替えられる。
【００１７】
次に、図２を参照して、各単位回路Ｕの具体的な構成を説明する。同図においては、第ｉ行の第ｊ列目に位置するひとつの単位回路Ｕのみが図示されているが、その他の単位回路Ｕも同様の構成である。また、単位回路Ｕを構成する各トランジスタの導電型は図２の態様から適宜に変更され得る。
【００１８】
同図に示すように、単位回路Ｕは、電位供給線１７と接地線（電位Ｖss）との間に介挿された電気光学素子１１を含む。電気光学素子１１は、これに供給される駆動電流Ｉelに応じた輝度に発光する電流駆動型の被駆動素子である。本実施形態における電気光学素子１１は、有機ＥＬ材料からなる発光層を陽極と陰極との間に介在させたＯＬＥＤ素子である。
【００１９】
図２に示すように、図１において便宜的に１本の配線として図示された走査線１２は、実際には３本の配線（第１制御線１２１、第２制御線１２２、第３制御線１２３）を含む。各配線には走査線駆動回路２２から所定の信号が供給される。すなわち、第ｉ行目の走査線１２を構成する第１制御線１２１には第１制御信号Ｙa[i]が供給され、同行の第２制御線１２２には第２制御信号Ｙb[i]が供給され、同行の第３制御線１２３には第３制御信号Ｙc[i]が供給される。なお、各信号の具体的な波形やこれに応じた単位回路Ｕの動作については後述する。
【００２０】
図２に示すように、電位供給線１７から電気光学素子１１の陽極に至る経路にはｐチャネル型の駆動トランジスタＴdrが介挿される。駆動トランジスタＴdrは、ソース（Ｓ）とドレイン（Ｄ）との導通状態がゲートの電位（以下「ゲート電位」という）Ｖgに応じて変化することによって当該ゲート電位Ｖgに応じた駆動電流Ｉelを生成する手段である。すなわち、電気光学素子１１は、駆動トランジスタＴdrの導通状態に応じて（すなわちゲート電位Ｖgに応じた階調に）駆動される。
【００２１】
駆動トランジスタＴdrのドレインとデータ線１４との間には、両者の電気的な接続（導通および非導通）を制御するｎチャネル型のトランジスタＴr1が介挿される。トランジスタＴr1のゲートは第１制御線１２１に接続される。したがって、第１制御信号Ｙa[i]がハイレベルであればトランジスタＴr1がオン状態となってデータ信号Ｘ[j]の電位Ｖdataが駆動トランジスタＴdrのドレインに供給され、第１制御信号Ｙa[i]がローレベルであれば駆動トランジスタＴdrのドレインはデータ線１４から電気的に切り離される。なお、電位供給線１７の電位Ｌ[i]は第１電位Ｖssおよび第２電位Ｖddの一方から他方に変化するため、駆動トランジスタＴdrのドレインとソースとは厳密な意味では電位Ｌ[i]に応じて随時に入れ替わる。しかしながら、本実施形態においては、電位供給線１７の電位Ｌ[i]が第２電位Ｖddである期間（書込期間Ｐ2）での電位の高低に基づいて便宜的に駆動トランジスタＴdrのドレインとソースとを規定している。
【００２２】
駆動トランジスタＴdrのゲートには容量素子Ｃsの第１電極Ｅ1が接続される。この容量素子Ｃsは、駆動トランジスタＴdrのゲート電位Ｖgに応じた電荷を保持するための手段（換言するとゲート電位Ｖgを保持するための手段）である。容量素子Ｃsの第２電極Ｅ2は、当該単位回路Ｕの隣接行である第（i-1）行目の第１制御線１２１に接続される。ただし、第１行目に属する各単位回路Ｕにおける容量素子Ｃsの第１電極Ｅ2は、定電位が供給される所定の配線（図示略）に接続される。なお、駆動トランジスタＴdrのゲート容量やそのゲートに接続された配線の寄生容量によってゲート電位Ｖgが保持される場合には容量素子Ｃsを独立して配置しなくてもよい。
【００２３】
一方、駆動トランジスタＴdrのソースと第ｉ行目の電位供給線１７との間には、両者の電気的な接続を制御するｎチャネル型のトランジスタＴr2が接続される。このトランジスタＴr2のゲートは第２制御線１２２に接続される。したがって、第２制御信号Ｙb[i]がハイレベルであればトランジスタＴr2がオン状態となって駆動トランジスタＴdrのソースと電位供給線１７とが電気的に接続される一方、第２制御信号Ｙb[i]がローレベルであればトランジスタＴr2がオフ状態となって両者は電気的に絶縁される。
【００２４】
さらに、駆動トランジスタＴdrのゲートとソースとの間には、両者の電気的な接続を制御するｎチャネル型のトランジスタＴr3が介挿される。このトランジスタＴr3のゲートは第３制御線１２３に接続される。したがって、第３制御信号Ｙc[i]がハイレベルに遷移するとトランジスタＴr3がオン状態となって駆動トランジスタＴdrがダイオード接続され、第３制御信号Ｙc[i]がローレベルに遷移するとトランジスタＴr3がオフ状態となって駆動トランジスタＴdrのダイオード接続は解除される。トランジスタＴr2およびトランジスタＴr3の双方がオン状態に遷移すると、駆動トランジスタＴdrのゲートは電位供給線１７に電気的に接続される。すなわち、ゲート電位Ｖgを電位供給線１７の電位Ｌ[i]に設定するための手段（電位設定手段）がトランジスタＴr2とトランジスタＴr3とによって構成される。
【００２５】
駆動トランジスタＴdrのドレインと電気光学素子１１の陽極との間には両者の電気的な接続を制御するｐチャネル型のトランジスタＴr4が介挿される。このトランジスタＴr4のゲートはトランジスタＴr2と同様に第１制御線１２１に接続される。したがって、第１制御信号Ｙa[i]がローレベルを維持する場合にはトランジスタＴr4がオン状態となって電気光学素子１１に対する駆動電流Ｉelの供給が可能となる。これに対し、第１制御信号Ｙa[i]がハイレベルを維持する場合にはトランジスタＴr4がオフ状態となるから、駆動電流Ｉelの経路が遮断されて電気光学素子１１は消灯する。
【００２６】
トランジスタＴr1とトランジスタＴr4とは逆導電型であるから、共通の信号（第１制御信号Ｙa[i]）の供給によって各々の導通状態は相補的に切り替わる。すなわち、トランジスタＴr1がオン状態であればトランジスタＴr4がオフ状態となり、トランジスタＴr1がオフ状態であればトランジスタＴr4がオン状態となる。トランジスタＴr1とトランジスタＴr4とが同じ導電型である場合には各々を制御するために別個の配線が必要となる。これに対し、本実施形態においてはトランジスタＴr1およびトランジスタＴr4の制御のためにひとつの配線（第１制御線１２１）が兼用されるから、配線数の削減によって電子装置Ｄの構成を簡素化することが可能となる。
【００２７】
次に、図３を参照して、電子装置Ｄで利用される各信号の具体的な波形を説明する。同図に示すように、第１制御信号Ｙa[1]ないしＹa[m]は書込期間Ｐ2ごとに順番にハイレベルとなる信号である。すなわち、第１制御信号Ｙa[i]は、垂直走査期間（１Ｆ）のうち第ｉ番目の書込期間Ｐ2においてハイレベルを維持するとともにそれ以外の期間においてローレベルを維持する。第１制御信号Ｙa[i]のハイレベルへの遷移は第ｉ行の選択を意味する。
【００２８】
第２制御信号Ｙb[i]は、図３に示すように、第１制御信号Ｙa[i]がハイレベルとなる書込期間Ｐ2の開始前の期間（以下「初期化期間」という）Ｐ1と、この書込期間Ｐ2の経過後の期間（以下「駆動期間」という）Ｐ3とにおいてハイレベルとなり、その他の期間（特に書込期間Ｐ2）においてローレベルを維持する信号である。一方、第３制御信号Ｙc[i]は、第１制御信号Ｙa[i]がハイレベルとなる書込期間Ｐ2とその直前の初期化期間Ｐ1とにおいてハイレベルとなり、その他の期間（特に駆動期間Ｐ3）においてローレベルを維持する信号である。なお、本実施形態においては、各書込期間Ｐ2の終点とその直後の書込期間Ｐ2の始点までの期間が初期化期間Ｐ1とされた場合を例示するが、各初期化期間Ｐ1と各書込期間Ｐ2とは間隔をあけていてもよい。同様に、各書込期間Ｐ2と各駆動期間Ｐ3とが間隔をあけて前後する構成としてもよい。各初期化期間Ｐ1と各書込期間Ｐ2との間に時間的な間隔を設けることにより、各初期化期間Ｐ1における駆動トランジスタＴdrのゲート電位Ｖgをより確実に初期化することができる。また、各書込期間Ｐ2と各駆動期間Ｐ3との間に時間的な間隔を設けることにより、各書込期間Ｐ2におけるゲート電位Ｖgを、より確実に、データ信号Ｘ[j]に応じた電位に設定することが可能となる。
【００２９】
図３に示すように、第ｉ行目の電位供給線１７の電位Ｌ[i]は、第１制御信号Ｙa[i]がハイレベルとなる書込期間Ｐ2の中途の時点にて第１電位Ｖssから第２電位Ｖddに変化するとともに、その書込期間Ｐ2の直後の駆動期間Ｐ3の経過後に第２電位Ｖddから第１電位Ｖssに変化するというサイクルを繰り返す。したがって、第ｉ行目の電位供給線１７の電位Ｌ[i]は、初期化期間Ｐ1の全区間にわたって第１電位Ｖssを維持するとともに駆動期間Ｐ3の全区間にわたって第２電位Ｖddを維持する。
【００３０】
次に、図４ないし図６を参照しながら電子装置Ｄの具体的な動作を説明する。以下では、第ｉ行に属する第ｊ列目の単位回路Ｕの動作を、初期化期間Ｐ1と書込期間Ｐ2と駆動期間Ｐ3とに区分して説明する。
【００３１】
(a) 初期化期間Ｐ1（図４）
初期化期間Ｐ1においては第１制御信号Ｙa[i]がローレベルを維持するから、図４に示すように、トランジスタＴr1はオフ状態を維持するとともにトランジスタＴr4はオン状態に遷移する。一方、初期化期間Ｐ1において第２制御信号Ｙb[i]および第３制御信号Ｙc[i]はハイレベルを維持する。したがって、図４に示すように、トランジスタＴr2およびトランジスタＴr3の双方がオン状態に遷移する。これにより駆動トランジスタＴdrのゲートは電位供給線１７に電気的に接続される。
【００３２】
一方、図３および図４に示すように、初期化期間Ｐ1において電位供給線１７の電位Ｌ[i]は電位制御回路２７によって第１電位Ｖssに維持されている。したがって、駆動トランジスタＴdrのゲート電位Ｖgは第１電位Ｖssに設定される。すなわち、初期化期間Ｐ1の開始点にて容量素子Ｃsに蓄積されている電荷に拘わらず（その直前の書込期間Ｐ2でデータ信号Ｘ[j]に応じて容量素子Ｃsに保持された電圧に拘わらず）、ゲート電位Ｖgは第１電位Ｖssに初期化される。
【００３３】
なお、初期化期間Ｐ1においてはトランジスタＴr2およびトランジスタＴr4の双方がオン状態となって電位供給線１７から電気光学素子１１に至る経路が形成される。しかしながら、電位供給線１７の電位Ｌ[i]は電気光学素子１１の陰極と同電位（第１電位Ｖss）に維持されているから電気光学素子１１に駆動電流Ｉelは流れない。したがって、初期化期間Ｐ1において電気光学素子１１は発光しない。
【００３４】
(b) 書込期間Ｐ2（図５）
書込期間Ｐ2においては第２制御信号Ｙb[i]がローレベルに遷移する。したがって、図５に示すように、トランジスタＴr2はオフ状態に遷移する。こうして単位回路Ｕが電位供給線１７から電気的に切り離された状態で、電位供給線１７の電位Ｌ[i]は電位制御回路２７によって第１電位Ｖssから第２電位Ｖddに変更される。
【００３５】
図３に示すように、第１制御信号Ｙa[i]がハイレベルとなる書込期間Ｐ2において、第ｊ列目のデータ線１４のデータ信号Ｘ[j]は、第ｉ行に属する第ｊ列目の単位回路Ｕの階調に応じた電位Ｖdata（図３ではＶdata[i,j]と表記されている）に設定される。一方、書込期間Ｐ2においては第１制御信号Ｙa[i]および第３制御信号Ｙc[i]の双方がハイレベルとなるから、図４に示すように、トランジスタＴr4がオフ状態となる一方、トランジスタＴr1とトランジスタＴr3とがオン状態となる。したがって、駆動トランジスタＴdrのゲートは、トランジスタＴr3と駆動トランジスタＴdrのソースおよびドレインとトランジスタＴr1とを介してデータ線１４と電気的に接続される。これによって駆動トランジスタＴdrのゲート電位Ｖgは、図３に示すように、初期化期間Ｐ1にて設定された電位Ｖssから上昇していき、データ信号Ｘ[j]の電位Ｖdataと駆動トランジスタＴdrの閾値電圧Ｖthとの差分値（Ｖg＝Ｖdata−Ｖth）に収束する。書込期間Ｐ2は、ゲート電位Ｖgの収束に充分な時間長に設定される。
【００３６】
(c) 駆動期間Ｐ3（図６）
駆動期間Ｐ3においては第１制御信号Ｙa[i]がローレベルとなる。したがって、トランジスタＴr1はオフ状態に遷移し、これにより単位回路Ｕはデータ線１４から電気的に切り離される。また、トランジスタＴr4はオン状態に遷移する。さらに、第３制御信号Ｙc[i]がローレベルに遷移することによってトランジスタＴr3はオフ状態となる。したがって、駆動トランジスタＴdrのダイオード接続は解除される。
【００３７】
一方、駆動期間Ｐ3においては第２制御信号Ｙb[i]がハイレベルとなる。したがって、トランジスタＴr2はオン状態に遷移して駆動トランジスタＴdrのソースは電位供給線１７と電気的に接続される。すなわち、駆動期間Ｐ3においては、電位供給線１７からトランジスタＴr2と駆動トランジスタＴdrとトランジスタＴr4とを経由して電気光学素子１１に至る駆動電流Ｉelの経路が形成され、駆動トランジスタＴdrのソースにはその時点における電位供給線１７の電位Ｌ[i]である第２電位Ｖddが供給される。
【００３８】
図３に示すように、第（i-1）行目の第１制御信号Ｙa[i-1]は、第ｉ行目の書込期間Ｐ2および駆動期間Ｐ3の双方において一定のレベルを維持する。したがって、書込期間Ｐ2にて設定されたゲート電位Ｖgは、駆動期間Ｐ3においてもその全区間にわたってデータ信号Ｘ[j]に応じた電位（Ｖdata−Ｖth）に維持される。このように駆動トランジスタＴdrの導通状態がデータ信号Ｘ[j]に応じて設定されることにより、電位Ｖdataに対応する駆動電流Ｉelが電位供給線１７からトランジスタＴr2と駆動トランジスタＴdrとトランジスタＴr4とを経由して電気光学素子１１に供給される。そして、電気光学素子１１は駆動電流Ｉelに応じた輝度に発光する。
【００３９】
いま、駆動トランジスタＴdrが飽和領域で動作すると仮定すれば、駆動期間Ｐ3において電気光学素子１１に供給される駆動電流Ｉelは以下の式(1)によって表現される。なお、式(1)における「β」は駆動トランジスタＴdrの利得係数であり、「Ｖgs」は駆動トランジスタＴdrのゲート−ソース間の電圧である。
Ｉel＝（β／２）（Ｖgs−Ｖth）2  ……(1)
【００４０】
駆動期間Ｐ3において、ゲート電位Ｖgは書込期間Ｐ2にて設定された「Ｖdata−Ｖth」に維持され、駆動トランジスタＴdrのソースにはトランジスタＴr2を介して電位Ｌ[i]（第２電位Ｖdd）が供給されているから、電圧Ｖgsは「Ｖdd−（Ｖdata−Ｖth）」となる。これを代入すると式(1)は以下の式(2)に変形される。
Ｉel＝（β／２）（Ｖdd−Ｖdata）2  ……(2)
すなわち、駆動電流Ｉelは駆動トランジスタＴdrの閾値電圧Ｖthに依存しない。したがって、本実施形態によれば、各単位回路Ｕにおける閾値電圧Ｖthのバラツキを補償して、各電気光学素子１１を高い精度で所期の輝度に発光させることができる。
【００４１】
以上に説明したように、本実施形態においては、電位供給線１７の電位Ｌ[i]が第１電位Ｖssおよび第２電位Ｖddの一方から他方に順次に切り替えられる。そして、電位Ｌ[i]が第１電位Ｖssである期間の少なくとも一部（初期化期間Ｐ1）にて駆動トランジスタＴdrのゲートが電位供給線１７に接続されることによってゲート電位Ｖgが第１電位Ｖssに初期化される。したがって、本実施形態によれば、単位回路Ｕの構成を複雑化することなくゲート電位Ｖgを初期化できるという利点がある。この効果について詳述すると以下の通りである。
【００４２】
ゲート電位Ｖgを第１電位Ｖssに初期化するための構成としては、例えば図７に例示された構成も考えられる。この構成においては、第１電位Ｖssに維持される定電位線１９と駆動トランジスタＴdrのゲートとの間にトランジスタＴr0が介挿される。そして、初期化期間Ｐ1にてトランジスタＴr0をオン状態として定電位線１９と駆動トランジスタＴdrのゲートとを電気的に接続することによってゲート電位Ｖgを第１電位Ｖssに初期化する。しかしながら、この構成においては、トランジスタＴr0およびこれを制御するための配線や定電位線１９を配置する必要があるから、各単位回路Ｕの構成が複雑化して製造コストの上昇や歩留まりの低下を招くとともに開口率が低下するといった問題が生じ得る。本実施形態によれば、トランジスタＴr0や定電位線１９を配置する必要がないから、図７の構成における問題を有効に解消することができる。
【００４３】
さらに、本実施形態においては、ゲート電位Ｖgを保持する容量素子Ｃsの第２電極Ｅ2が隣接行の第１制御線１２１に接続される。ここで、ゲート電位Ｖgを保持するための構成としては、容量素子Ｃsの第２電極Ｅ2を電位供給線１７と電気的に接続した構成も考えられる。しかしながら、この構成のもとでは、駆動期間Ｐ3における駆動電流Ｉelの供給に伴って電位供給線１７の電位Ｌ[i]が降下すると、駆動トランジスタＴdrのゲート電位Ｖgも所期値（Ｖdata−Ｖth）から変動するという問題がある。これに対し、本実施形態においては、駆動電流Ｉelの経路ではない第１制御線１２１に第２電極Ｅ2が接続されているから、駆動電流Ｉelの供給に起因したゲート電位Ｖgの変動は回避される。したがって、データ信号Ｘ[j]の電位Ｖdataに応じた駆動電流Ｉelを高い精度で生成することができる。
【００４４】
なお、第２電極Ｅ2の接続先は、書込期間Ｐ2でゲート電位Ｖgが「Ｖdata−Ｖth」に収束してから駆動期間Ｐ3の終点までにわたって略定電位に維持される配線であれば足り、隣接行の第１制御線１２１には限定されない。ただし、本実施形態のように、容量素子Ｃsの第２電極Ｅ2を略定電位に維持するための配線として第１制御線１２１が兼用される構成によれば、第２電極Ｅ2の接続先となる配線が各制御線とは別個に形成された構成と比較して電子装置Ｄの配線数を削減できるという利点がある。また、本実施形態においては、第ｉ行目の各単位回路Ｕにおける容量素子Ｃsの第２電極Ｅ2が、その直前に選択される第（i-1）行目の第１制御線１２１に接続されている。したがって、第２電極Ｅ2が第（i-1）行以外の第１制御線１２１に接続された構成と比較して、ゲート電位Ｖgがデータ信号Ｘ[j]に応じた電位（Ｖdata−Ｖth）に設定されてから各行の第２電極Ｅ2が定電位に維持される期間を充分に確保することができる。
【００４５】
なお、本実施形態のように駆動トランジスタＴdrがｐチャネル型である場合には、書込期間Ｐ2にて第２電極Ｅ2に高電位（すなわち第２電位Ｖdd）が供給される構成としてもよい。この構成においては、トランジスタＴr1をｐチャネル型としトランジスタＴr4をｎチャネル型とすれば、各トランジスタは第１実施形態と同様に制御される。
【００４６】
また、第ｉ行の初期化期間Ｐ1において第（i-1）行の第１制御線１２１が第１電位Ｖssに設定されるとすれば、第１電極Ｅ1と第２電極Ｅ2との間の電位差がゼロとなるため、容量素子Ｃsに所期の電圧を確実に保持させることができない可能性もある。したがって、第１制御線１２１に供給される第１制御信号Ｙa[i]のローレベルを第１電位Ｖssとは相違する電位に設定してもよい。
【００４７】
＜Ｂ：変形例＞
以上に説明した実施形態には様々な変形を加えることができる。具体的な変形の態様を例示すれば以下の通りである。なお、以下の各態様を適宜に組み合わせてもよい。
【００４８】
（１）変形例１  
単位回路の具体的な構成は図２の例示に限定されない。例えば、以上の形態においては、単位回路ＵがトランジスタＴr2とトランジスタＴr3とを含む構成を例示したが、初期化期間Ｐ1にて電位供給線１７を駆動トランジスタＴdrのゲートに導通させるとともに駆動期間Ｐ3にて電位供給線１７を駆動トランジスタＴdrのソースに導通させるための手段（電位設定手段）を含んでいれば足り、その具体的な態様の如何は不問である。
【００４９】
さらに、以上の形態においてはトランジスタＴr1とトランジスタＴr4とが共通の信号（第１制御信号Ｙa[i]）によって制御される構成を例示したが、各々が別個の信号によって制御される構成としてもよい。したがって、トランジスタＴr1とトランジスタＴr4とは同じ導電型であってもよい。また、トランジスタＴr4が配置されない構成（すなわち駆動トランジスタＴdrのドレインと電気光学素子１１とが直接的に接続された構成）としてもよい。
【００５０】
（２）変形例２  
以上の形態においては、初期化期間Ｐ1における電位供給線１７の電位Ｌ[i]を低位側の電源電位たる第１電位Ｖssとした場合を例示したが、第１電位Ｖssの具体的なレベルは任意に変更される。ただし、初期化期間Ｐ1にて駆動トランジスタＴdrのゲートに供給される電位Ｌ[i]は、以上の形態に例示したように駆動トランジスタＴdrをオン状態とするレベルであることが望ましい。この構成によれば、初期化期間Ｐ1における電位Ｌ[i]が駆動トランジスタＴdrをオフ状態とするレベルに設定された構成と比較して、駆動トランジスタＴdrのゲート電位Ｖgを迅速かつ確実にデータ信号Ｘ[j]に応じた電位（Ｖdata−Ｖth）に収束させることができる。
【００５１】
（３）変形例３  
以上の形態においては電気光学素子１１としてＯＬＥＤ素子を例示したが、本発明の電子装置に採用される電気光学素子はこれに限定されない。例えば、ＯＬＥＤ素子に代えて、無機ＥＬ素子や、フィールド・エミッション（ＦＥ）素子、表面導電型エミッション（ＳＥ：Surface-conduction  Electron-emitter）素子、弾道電子放出（ＢＳ：Ballistic  electron  Surface  emitting）素子、ＬＥＤ（Light  Emitting  Diode）素子といった様々な自発光素子、さらには電気泳動素子やエレクトロ・クロミック素子など様々な電気光学素子を利用することができる。また、本発明は、バイオチップなどのセンシング装置にも適用される。本発明の被駆動素子とは、電気エネルギの付与によって駆動される総ての要素を含む概念であり、発光素子などの電気光学素子は被駆動素子の例示に過ぎない。
【００５２】
＜Ｃ：応用例＞
次に、本発明に係る電子装置（電気光学装置）を利用した電子機器について説明する。図８は、以上に説明した何れかの形態に係る電子装置Ｄを表示装置として採用したモバイル型のパーソナルコンピュータの構成を示す斜視図である。パーソナルコンピュータ２０００は、表示装置としての電子装置Ｄと本体部２０１０とを備える。本体部２０１０には、電源スイッチ２００１およびキーボード２００２が設けられている。この電子装置Ｄは電気光学素子１１にＯＬＥＤ素子を利用しているので、視野角が広く見易い画面を表示できる。
【００５３】
図９に、実施形態に係る電子装置Ｄを適用した携帯電話機の構成を示す。携帯電話機３０００は、複数の操作ボタン３００１およびスクロールボタン３００２、ならびに表示装置としての電子装置Ｄを備える。スクロールボタン３００２を操作することによって、電子装置Ｄに表示される画面がスクロールされる。
【００５４】
図１０に、実施形態に係る電子装置Ｄを適用した携帯情報端末（ＰＤＡ：Personal Digital Assistants）の構成を示す。情報携帯端末４０００は、複数の操作ボタン４００１および電源スイッチ４００２、ならびに表示装置としての電子装置Ｄを備える。電源スイッチ４００２を操作すると、住所録やスケジュール帳といった各種の情報が電子装置Ｄに表示される。
【００５５】
なお、本発明に係る電子装置（電気光学装置）が適用される電子機器としては、図８から図１０に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る電子装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明の電子装置は利用される。本発明にいう単位回路とは、表示装置の画素を構成する回路（いわゆる画素回路）のほか、画像形成装置における露光の単位となる回路をも含む概念である。
【図面の簡単な説明】
【００５６】
【図１】本発明の実施形態に係る電子装置の構成を示すブロック図である。
【図２】ひとつの単位回路の構成を示す回路図である。
【図３】電子装置の動作を説明するためのタイミングチャートである。
【図４】初期化期間における単位回路の様子を示す回路図である。
【図５】書込期間における単位回路の様子を示す回路図である。
【図６】駆動期間における単位回路の様子を示す回路図である。
【図７】実施形態との対比例に係る単位回路の構成を示す回路図である。
【図８】本発明に係る電子機器の具体的な形態を示す斜視図である。
【図９】本発明に係る電子機器の具体的な形態を示す斜視図である。
【図１０】本発明に係る電子機器の具体的な形態を示す斜視図である。
【符号の説明】
【００５７】
Ｄ……電子装置、１０……素子アレイ部、１１……電気光学素子、１２……走査線、１２１……第１制御線、１２２……第２制御線、１２３……第３制御線、１４……データ線、１７……電位供給線、２２……走査線駆動回路、２４……データ線駆動回路、２７……電位制御回路、Ｔdr……駆動トランジスタ、Ｔr1、Ｔr2，Ｔr3，Ｔr4……トランジスタ、Ｃs……容量素子、Ｙa[i]……第１制御信号、Ｙb[i]……第２制御信号、Ｙc[i]……第３制御信号、Ｌ[i]……電位供給線の電位、Ｖss……第１電位、Ｖdd……第２電位。
【図１】
2007025192.tif 000003
【図２】
2007025192.tif 000004
【図３】
2007025192.tif 000005
【図４】
2007025192.tif 000006
【図５】
2007025192.tif 000007
【図６】
2007025192.tif 000008
【図７】
2007025192.tif 000009
【図８】
2007025192.tif 000010
【図９】
2007025192.tif 000011
【図１０】
2007025192.tif 000012